(57)【特許請求の範囲】
【請求項１】
無中断デバイス間通信のための方法であって、
ユーザ機器によって、第1のピアデバイスとの第1のデバイス間接続を確立するステップであって、前記第1のデバイス間接続は、前記第1のピアデバイスによって提供されるサービスにアクセスするために確立される、ステップと、
前記ユーザ機器によって、前記第1のピアデバイスへのアップリンク上で使われる送信電力が閾値を超えたことに少なくとも基づいて、前記第1のピアデバイスによって提供される前記サービスを提供する少なくとも1つの代替ピアデバイスを発見するための探索をトリガするステップと、
前記ユーザ機器によって、前記第1のデバイス間接続がアクティブである間に、前記第1のピアデバイスによって提供される前記サービスを提供する前記少なくとも1つの代替ピアデバイスを発見するステップと、
前記第1のデバイス間接続の喪失または劣化に応答して、前記ユーザ機器によって、前記少なくとも1つの代替ピアデバイスを介して前記サービスにアクセスするために、前記少なくとも1つの代替ピアデバイスとの第2のデバイス間接続を確立するステップとを含む、方法。
【請求項２】
前記第2のデバイス間接続は、前記第1のデバイス間接続の前記喪失または劣化の直後の発見周期に先立って確立される、請求項1に記載の方法。
【請求項３】
前記第1のデバイス間接続が確立された後の、および前記第1のデバイス間接続の喪失または劣化に先立つ1つまたは複数の発見周期中に前記少なくとも1つの代替ピアデバイスを探索するステップをさらに含む、請求項1に記載の方法。
【請求項４】
前記第1のデバイス間接続の劣化を検出するステップと、
前記第1のデバイス間接続の前記劣化を検出したすぐ後の、および前記第1のデバイス間接続の喪失に先立つ発見周期中に前記少なくとも1つの代替ピアデバイスを探索するステップとをさらに含む、請求項1に記載の方法。
【請求項５】
前記第2のデバイス間接続は、前記第1のデバイス間接続の前記喪失または劣化に続く探索を行わずに確立される、請求項1に記載の方法。
【請求項６】
前記第1のデバイス間接続および前記第2のデバイス間接続はLTEダイレクトリンクを含む、請求項1に記載の方法。
【請求項７】
前記ユーザ機器によって、前記第1のピアデバイスからの、ダウンリンク上での受信電力が閾値を下回ったことに少なくともさらに基づいて、前記少なくとも1つの代替ピアデバイスを発見するための前記探索をトリガするステップをさらに含む、請求項1に記載の方法。
【請求項８】
前記ユーザ機器によって、前記第1のピアデバイスからあらかじめ定義された数の否定応答を受信したこと少なくともさらに基づいて、前記少なくとも1つの代替ピアデバイスを発見するための前記探索をトリガするステップをさらに含む、請求項1に記載の方法。
【請求項９】
1つまたは複数のプロセッサであって、
第1のピアデバイスによって提供されるサービスにアクセスするために、前記第1のピアデバイスとの第1のデバイス間接続を確立することと、
前記第1のピアデバイスへのアップリンク上で使われる送信電力が閾値を超えたことに少なくとも基づいて、前記第1のピアデバイスによって提供される前記サービスを提供する少なくとも1つの代替ピアデバイスを発見するための探索をトリガすることと、
前記第1のデバイス間接続がアクティブである間に、前記第1のピアデバイスによって提供される前記サービスを提供する前記少なくとも1つの代替ピアデバイスを発見することと、
前記第1のデバイス間接続の喪失または劣化に応答して、前記少なくとも1つの代替ピアデバイスを介して前記サービスにアクセスするために、前記少なくとも1つの代替ピアデバイスとの第2のデバイス間接続を確立することと
を行うように構成された、1つまたは複数のプロセッサと、
前記1つまたは複数のプロセッサに結合された、メモリとを備える、ワイヤレスデバイス。
【請求項１０】
第1のピアデバイスによって提供されるサービスにアクセスするために、前記第1のピアデバイスとの第1のデバイス間接続を確立するための手段と、
前記第1のピアデバイスへのアップリンク上で使われる送信電力が閾値を超えたことに少なくとも基づいて、前記第1のピアデバイスによって提供される前記サービスを提供する少なくとも1つの代替ピアデバイスを発見するための探索をトリガするための手段と、
前記第1のデバイス間接続がアクティブである間に、前記第1のピアデバイスによって提供される前記サービスを提供する前記少なくとも1つの代替ピアデバイスを発見するための手段と、
前記第1のデバイス間接続の喪失または劣化に応答して、前記少なくとも1つの代替ピアデバイスを介して前記サービスにアクセスするために、前記少なくとも1つの代替ピアデバイスとの第2のデバイス間接続を確立するための手段とを備える、ワイヤレスデバイス。
【請求項１１】
コンピュータ実行可能命令を記録したコンピュータ可読記憶媒体であって、ワイヤレスデバイス上で前記コンピュータ実行可能命令を実行することによって、前記ワイヤレスデバイスに、請求項1から8のいずれか一項に記載の方法を実施させる、コンピュータ可読記憶媒体。
【発明の詳細な説明】
【技術分野】
【０００１】
本開示は概して、LTEダイレクトを介してサービスを利用する際に連続性を維持し、そうすることによって、現在のLTEダイレクトセッションが喪失または劣化を受けたとき、無中断デバイス間(D2D)通信をサポートするためにLTEダイレクトエクスプレッションを先制的に探索し、選択することに関する。
【背景技術】
【０００２】
ワイヤレス通信システムは、第1世代アナログワイヤレス電話サービス(1G)、第2世代(2G)デジタルワイヤレス電話サービス(暫定の2.5Gネットワークおよび2.75Gネットワークを含む)、ならびに第3世代(3G)および第4世代(4G)高速データ/インターネット対応ワイヤレスサービスを含む、様々な世代を通じて発展してきた。現在、セルラーシステムおよびパーソナル通信サービス(PCS)システムを含む、多くの異なるタイプのワイヤレス通信システムが使用されている。例示的なセルラーシステムには、セルラーアナログ高度移動電話システム(AMPS)、符号分割多元接続(CDMA)、周波数分割多元接続(FDMA)、時分割多元接続(TDMA)、TDMAのモバイル用グローバルシステム接続(GSM(登録商標))変形体、およびTDMA技術とCDMA技術の両方を使用するより新しいハイブリッドデジタル通信システムに基づくデジタルセルラーシステムがある。
【０００３】
より最近では、モバイルフォンおよび他の端末が高速でデータを通信するためのワイヤレス通信プロトコルとして、ロングタームエボリューション(LTE)が開発されている。LTEは、GSM(登録商標)に基づいており、様々なGSM(登録商標)関連のプロトコル(たとえば、GSM(登録商標)進化型高速データレート(EDGE))、およびユニバーサルモバイル通信システム(UMTS)プロトコル(たとえば、高速パケットアクセス(HSPA))からの寄与を含む。
【０００４】
LTEダイレクト(LTE-D)は、近接発見のための、提案された3GPP(リリース12)デバイス間(D2D)ソリューションである。LTE-Dは、広い範囲(見通し線で約500m)内の他のLTE-Dデバイス上のサービスに関して直接監視をすることによって、ロケーション追跡およびネットワーク呼を不要にする。したがって、他の利点の中でも、LTE-Dは、同期システムにおける他のLTE-Dデバイス上のサービスを直接監視し、近接している、可能性としては数千のサービスを継続的およびバッテリ効率的なやり方で同時に検出することができる。
【０００５】
LTE-Dは、モバイルアプリケーションに対するサービスとして、ライセンス済みスペクトル上で動作し、サービスレイヤ発見を可能にするデバイス間(D2D)ソリューションを提供する。LTE-Dデバイス上のモバイルアプリケーションは、LTE-Dに、他のデバイス上のモバイルアプリケーションサービスを監視するとともに、それら自体のサービスを、他のLTE-Dデバイス上のサービスによる検出のために、物理レイヤにおいて告知するよう命令してもよく、そうすることにより、LTE-Dが継続して作業をする間、アプリケーションは閉じ、設定されたモニタとの合致が検出されたとき、クライアントアプリケーションに通知する。
【０００６】
したがって、LTE-Dは、開発者の既存クラウドサービスを拡張するために近接発見ソリューションを展開することを求めるモバイル開発者にとって魅力的な代替法である。LTE-Dは、モバイルアプリケーションが、関連性一致を識別する際に集中データベース処理なしですまし得るための、(今日存在する集中発見に対して)分散発見ソリューションである。代わりに、関連は、関連する属性を送信し、監視することによって、デバイスレベルで自律的に判断され得る。LTE-Dは、LTE-Dが近接を判断するのに永続ロケーション追跡を使用しないという点で、プライバシーならびに電力消費に関していくつかの利益をもたらす。クラウドではなくデバイス上での発見を続けることによって、ユーザは、どのような情報が外部デバイスと共有されるかを、より制御することができる。
【発明の概要】
【課題を解決するための手段】
【０００７】
以下は、本明細書で開示する1つまたは複数の態様および/または実施形態に関する簡略化された概要を提示する。したがって、以下の概要は、すべての企図される態様および/または実施形態に関する包括的な概観と見なされるべきではなく、また、以下の概要は、すべての企図される態様および/または実施形態に関する主要または重要な要素を識別するか、任意の特定の態様および/または実施形態に関連付けられた範囲を定めるものと見なされるべきでもない。したがって、以下の概要は、以下で提示する詳細な説明に先立って、本明細書で開示する1つまたは複数の態様および/または実施形態に関するいくつかの概念を簡略化された形で提示するという唯一の目的を有する。
【０００８】
様々な態様によると、無中断デバイス間通信のための方法は、第1のピアデバイスによって共有されるサービスにアクセスするために、第1のピアデバイスとの第1のデバイス間接続を確立するステップと、第1のデバイス間接続がアクティブである間に、第1のピアデバイスによって共有されるサービスを共有する少なくとも1つの代替ピアデバイスを発見するステップと、第1のデバイス間接続の喪失または劣化に応答して、少なくとも1つの代替ピアデバイスとの第2のデバイス間接続を確立するステップとを含み得る。
【０００９】
様々な態様によると、ワイヤレスデバイスは、第1のピアデバイスによって共有されるサービスにアクセスするために、第1のピアデバイスとの第1のデバイス間接続を確立し、第1のデバイス間接続がアクティブである間に、第1のピアデバイスによって共有されるサービスを共有する少なくとも1つの代替ピアデバイスを発見し、第1のデバイス間接続の喪失または劣化に応答して、少なくとも1つの代替ピアデバイスとの第2のデバイス間接続を確立するように構成された1つまたは複数のプロセッサと、1つまたは複数のプロセッサに結合されたメモリとを備え得る。
【００１０】
様々な態様によると、ワイヤレスデバイスは、第1のピアデバイスによって共有されるサービスにアクセスするために、第1のピアデバイスとの第1のデバイス間接続を確立するための手段と、第1のデバイス間接続がアクティブである間に、第1のピアデバイスによって共有されるサービスを共有する少なくとも1つの代替ピアデバイスを発見するための手段と、第1のデバイス間接続の喪失または劣化に応答して、少なくとも1つの代替ピアデバイスとの第2のデバイス間接続を確立するための手段とを備え得る。
【００１１】
様々な態様によると、コンピュータ可読記憶媒体は、コンピュータ実行可能命令を記録してもよく、ワイヤレスデバイス上で前記コンピュータ実行可能命令を実行することによって、前記ワイヤレスデバイスに、第1のピアデバイスによって共有されるサービスにアクセスするために、第1のピアデバイスとの第1のデバイス間接続を確立させ、第1のデバイス間接続がアクティブである間に、第1のピアデバイスによって共有されるサービスを共有する少なくとも1つの代替ピアデバイスを発見させ、第1のデバイス間接続の喪失または劣化に応答して、少なくとも1つの代替ピアデバイスとの第2のデバイス間接続を確立させ得る。
【００１２】
本明細書で開示する様々な態様および/または実施形態に関連付けられた他の目的および利点は、添付の図面および詳細な説明に基づいて、当業者に明らかになるであろう。
【００１３】
本開示の態様およびその付随する利点の多くのより完全な理解は、以下の詳細な説明を参照し、本開示を限定するためではなく単に例示するために提示される添付の図面とともに考察することによってよりよく理解されれば、容易に得られるであろう。
【図面の簡単な説明】
【００１４】
【図１】本開示の一態様によるワイヤレス通信システムのハイレベルシステムアーキテクチャを示す図である。
【図２Ａ】本開示の一態様による、無線アクセスネットワーク(RAN)、および1xEV-DOネットワーク用のコアネットワークのパケット交換部分の例示的な構成を示す図である。
【図２Ｂ】本開示の一態様による、RAN、および3G UMTS W-CDMAシステム内の汎用パケット無線サービス(GPRS)コアネットワークのパケット交換部分の例示的な構成を示す図である。
【図２Ｃ】本開示の一態様による、RAN、および3G UMTS W-CDMAシステム内のGPRSコアネットワークのパケット交換部分の別の例示的な構成を示す図である。
【図２Ｄ】本開示の一態様による、RAN、および発展型パケットシステム(EPS)またはロングタームエボリューション(LTE)ネットワークに基づくコアネットワークのパケット交換部分の例示的な構成を示す図である。
【図２Ｅ】本開示の一態様による、EPSまたはLTEネットワークに接続された拡張型高速パケットデータ(HRPD)RAN、およびまたHRPDコアネットワークのパケット交換部分の例示的な構成を示す図である。
【図３】本開示の一態様による、いくつかのデバイスが、ネットワークインフラストラクチャを介して、および/またはダイレクトデバイス間(D2D)接続を介して通信することができる、例示的なワイヤレス通信システムを示す図である。
【図４】本開示の一態様による、例示的なLTEダイレクト(LTE-D)エクスプレッションを示す図である。
【図５Ａ】本開示の一態様による、LTE-D接続を介して通信する1つまたは複数のデバイスが、無中断D2D通信のためにLTE-Dエクスプレッションを先制的に探索し、選択することができる、例示的なワイヤレス通信システムを示す図である。
【図５Ｂ】本開示の一態様による、LTE-D接続を介して通信する1つまたは複数のデバイスが、無中断D2D通信のためにLTE-Dエクスプレッションを先制的に探索し、選択することができる、例示的なワイヤレス通信システムを示す図である。
【図５Ｃ】本開示の一態様による、LTE-D接続を介して通信する1つまたは複数のデバイスが、無中断D2D通信のためにLTE-Dエクスプレッションを先制的に探索し、選択することができる、例示的なワイヤレス通信システムを示す図である。
【図６】本開示の一態様による、現在のLTE-Dセッションが喪失または劣化を受け得る場合、LTE-D対応デバイスが、無中断D2D通信を維持するために、LTE-Dエクスプレッションを先制的に探索し、選択することができる、例示的なタイムラインを示す図である。
【図７】本開示の一態様による、現在のLTE-Dセッションが喪失または劣化を受け得る場合、LTE-D対応デバイスが、無中断D2D通信を維持するために、LTE-Dエクスプレッションを先制的に探索し、選択することができる、例示的な方法を示す図である。
【図８】本開示の一態様による、LTE-D対応デバイスが、現在のLTE-Dセッションの喪失に先立って、無中断D2D通信を維持するために、現在のLTE-Dセッションが劣化を受けたことに応答してLTE-Dエクスプレッションを先制的に探索し、選択することができる、例示的なタイムラインを示す図である。
【図９】本開示の一態様による、LTE-D対応デバイスが、現在のLTE-Dセッションの喪失に先立って、無中断D2D通信を維持するために、現在のLTE-Dセッションが劣化を受けたことに応答してLTE-Dエクスプレッションを先制的に探索し、選択することができる、例示的な方法を示す図である。
【図１０】本開示の一態様による、ユーザ機器(UE)の例を示す図である。
【図１１】本開示の一態様による、機能性を実施するように構成された論理を含む通信デバイスを示す図である。
【図１２】本開示の一態様による、例示的なサーバを示す図である。
【発明を実施するための形態】
【００１５】
特定の例示的な実施形態を対象とする例を示すために、以下の説明および関連する図面において様々な態様が開示される。代替的実施形態は、この開示を読むと当業者には明らかであり、本開示の範囲または趣旨を逸脱することなく構築され、実践されてもよい。加えて、本明細書で開示される態様および実施形態の関連する詳細を不明瞭にしないように、よく知られている要素は詳細には説明せず、または省略される場合がある。
【００１６】
「例示的」という言葉は、本明細書では「例、事例、または例示として働くこと」を意味するために使用される。本明細書で「例示的」として説明するいかなる実施形態も、必ずしも他の実施形態よりも好ましいか、または有利であると解釈されるべきではない。同様に、「実施形態」という用語は、すべての実施形態が、説明される特徴、利点、または動作モードを含むことを必要としない。
【００１７】
本明細書で使用する専門用語は、特定の実施形態について説明するにすぎず、本明細書で開示する任意の実施形態を制限すると解釈されるべきではない。本明細書で使用する単数形「a」、「an」、および「the」は、文脈が別段に明確に示さない限り、複数形も含むものとする。本明細書で使用するとき、「備える(comprises)」、「備えている(comprising)」、「含む(includes)」、および/または「含んでいる(including)」という用語は、述べられた特徴、整数、ステップ、動作、要素、および/または構成要素の存在を明示するが、1つまたは複数の他の特徴、整数、ステップ、動作、要素、構成要素、および/またはそれらのグループの存在または追加を排除するものではないことがさらに理解されよう。
【００１８】
さらに、多くの態様は、たとえばコンピューティングデバイスの要素によって実施されるアクションのシーケンスの観点から説明される。本明細書において説明される様々なアクションは、特定の回路(たとえば、特定用途向け集積回路(ASIC))によって、1つもしくは複数のプロセッサによって実行されるプログラム命令によって、または両方の組合せによって実施できることが認識されよう。さらに、本明細書で説明されるこれらのアクションのシーケンスは、実行時に本明細書で説明される機能を関連するプロセッサに実施させる、対応するコンピュータ命令のセットがその中に記憶された任意の形態のコンピュータ可読記憶媒体内で完全に実施されると見なすことができる。したがって、本開示の様々な態様はいくつかの異なる形態において実施されてもよく、そのすべてが、特許請求する主題の範囲内に入ると考えられる。加えて、本明細書で説明する態様および/または実施形態ごとに、任意のそのような態様および/または実施形態の対応する形式は、本明細書では、たとえば、説明するアクションを実施する「ように構成された論理」として説明され得る。
【００１９】
本明細書ではユーザ機器(UE)と呼ばれるクライアントデバイスは、モバイルであってもまたは固定されていてもよく、かつ無線アクセスネットワーク(RAN)と通信してよい。本明細書において使用されるとき、「UE」という用語は、「アクセス端末」または「AT」、「ワイヤレスデバイス」、「加入者デバイス」、「加入者端末」、「加入者局」、「ユーザ端末」またはUT、「モバイル端末」、「移動局」、およびそれらの変化形と交換可能に呼ばれる場合がある。概して、UEは、RANを介してコアネットワークと通信することができ、コアネットワークを通してUEはインターネットなどの外部ネットワークに接続されてもよい。当然、UEには、ワイヤードアクセスネットワーク、(たとえば、IEEE 802.11などに基づく)Wi-Fiネットワークなどを介してなど、コアネットワークおよび/またはインターネットに接続する他の機構も考えられる。UEは、限定はしないが、PCカード、コンパクトフラッシュ(登録商標)デバイス、外付けまたは内蔵のモデム、ワイヤレスフォンまたは有線フォンなどを含むいくつかのタイプのデバイスのいずれかによって具現化され得る。UEが信号をRANに送ることができる通信リンクは、アップリンクチャネル(たとえば、逆方向トラフィックチャネル、逆方向制御チャネル、アクセスチャネルなど)と呼ばれる。RANが信号をUEに送ることができる通信リンクは、ダウンリンクチャネルまたは順方向リンクチャネル(たとえば、ページングチャネル、制御チャネル、ブロードキャストチャネル、順方向トラフィックチャネルなど)と呼ばれる。本明細書で使用するトラフィックチャネル(TCH)という用語は、アップリンク/逆方向トラフィックチャネル、またはダウンリンク/順方向トラフィックチャネルのいずれかを指すことができる。
【００２０】
図1は、本開示の一態様によるワイヤレス通信システム100のハイレベルシステムアーキテクチャを示す図である。ワイヤレス通信システム100はUE1...Nを含む。UE1...Nは、セルラー電話、携帯情報端末(PDA)、ページャ、ラップトップコンピュータ、デスクトップコンピュータなどを含んでよい。たとえば、図1において、UE1...2は発呼側セルラーフォンとして示され、UE3...5はタッチスクリーンセルラーフォンまたはスマートフォンとして示され、UE NはデスクトップコンピュータまたはPCとして示されている。
【００２１】
図1を参照すると、UE1...Nは、図1にエアインターフェース104、106、108および/または直接ワイヤード接続として示されている物理通信インターフェースまたはレイヤを介してアクセスネットワーク(たとえば、RAN120、アクセスポイント125など)と通信するように構成される。エアインターフェース104および106は所与のセルラー通信プロトコル(たとえば、CDMA、EVDO、eHRPD、GSM(登録商標)、EDGE、W-CDMA、LTEなど)に準拠することができ、一方、エアインターフェース108はワイヤレスIPプロトコル(たとえば、IEEE802.11)に準拠することができる。RAN120は、エアインターフェース104および106などのエアインターフェースを介してUEにサービスする複数のアクセスポイントを含む。RAN120内のアクセスポイントは、アクセスノードまたはAN、アクセスポイントまたはAP、基地局またはBS、ノードB、発展型ノードB(eノードBまたはeNB)などと呼ばれることがある。これらのアクセスポイントは、地上アクセスポイント(もしくは地上局)、または衛星アクセスポイントであり得る。RAN120は、RAN120によってサービスされるUEとRAN120または異なるRANによってサービスされる他のUEとの間の回線交換(CS)呼を完全にブリッジングすることを含む様々な機能を実施することができ、かつインターネット175などの外部ネットワークとのパケット交換(PS)データの交換を仲介することもできるコアネットワーク140に接続するように構成される。インターネット175は、いくつかのルーティングエージェントおよび処理エージェント(便宜上、図1には示されていない)を含む。図1で、UE Nはインターネット175に直接接続する(すなわち、Wi-Fiまたは802.11ベースネットワークのイーサネット(登録商標)接続を介するなど、コアネットワーク140から分離される)ように示されている。それによって、インターネット175は、コアネットワーク140を介してUE NとUE1...Nとの間のパケット交換データ通信をブリッジングするように機能し得る。図1には、RAN120から分離されたアクセスポイント125も示されている。アクセスポイント125は、コアネットワーク140とは無関係に(たとえば、FiOS、ケーブルモデムなどの光通信システムを介して)インターネット175に接続されてよい。エアインターフェース108は、一例では、IEEE802.11などのローカルワイヤレス接続を介してUE4またはUE5にサービスしてもよい。UE Nは、一例ではアクセスポイント125自体に対応し得るモデムまたはルータとの直接接続など、インターネット175とのワイヤード接続を有するデスクトップコンピュータとして示されている(たとえば、ワイヤード接続性および/またはワイヤレス接続性を有するWi-Fiルータは、アクセスポイント125に対応し得る)。
【００２２】
図1を参照すると、アプリケーションサーバ170は、インターネット175、コアネットワーク140、またはその両方に接続されるものとして示されている。アプリケーションサーバ170は、構造的に分離された複数のサーバとして実装され得るか、または代替的に単一のサーバに対応し得る。以下でより詳細に説明するように、アプリケーションサーバ170は、コアネットワーク140および/またはインターネット175を介してアプリケーションサーバ170に接続することができるUE向けの1つまたは複数の通信サービス(たとえば、ボイスオーバーインターネットプロトコル(VoIP)セッション、ボイスオーバーLTE(VoLTE)セッション、プッシュツートーク(PTT)セッション、グループ通信セッション、リッチ通信サービス(RCS)セッションを伴うセッション、ソーシャルネットワーキングサービスなど)をサポートするように構成される。
【００２３】
ワイヤレス通信システム100をより詳細に説明するのを助けるために、図2A〜図2Dに関して、RAN120およびコアネットワーク140のためのプロトコル固有の実装形態の例が以下に提供される。特に、RAN120およびコアネットワーク140の構成要素は、パケット交換(PS)通信をサポートすることに関連付けられた構成要素に対応し、それによって、レガシー回線交換(CS)構成要素もこれらのネットワーク内に存在し得るが、図2A〜図2Dには、いかなるレガシーCS固有の構成要素も明示的に示されていない。
【００２４】
図2Aは、本開示の一態様による、RAN120、およびCDMA2000 1xエボリューションデータオプティマイズド(EV-DO)ネットワークにおけるパケット交換通信用のコアネットワーク140の例示的な構成を示す。図2Aを参照すると、RAN120は、ワイヤードバックホールインターフェースを介して基地局コントローラ(BSC)215Aに結合される複数の基地局(BS)200A、205A、および210Aを含む。単一のBSCによって制御されるBSのグループは、サブネットと総称される。当業者なら諒解するように、RAN120は複数のBSCおよびサブネットを含むことができ、便宜上、図2Aには単一のBSCが示されている。BSC215Aは、A9接続を介してコアネットワーク140内のパケット制御機能(PCF)220Aと通信する。PCF220Aは、パケットデータに関連するBSC215Aのためのいくつかの処理機能を実施する。PCF220Aは、A11接続を介してコアネットワーク140内のパケットデータサービングノード(PDSN)225Aと通信する。PDSN225Aは、ポイントツーポイント(PPP)セッションを管理すること、ホームエージェント(HA)および/または外部エージェント(FA)として機能することを含む様々な機能を有し、(以下でより詳細に説明する)GSM(登録商標)ネットワークおよびUMTSネットワークにおけるゲートウェイ汎用パケット無線サービス(GPRS)サポートノード(GGSN)と機能的に同様である。PDSN225Aは、コアネットワーク140をインターネット175のような外部IPネットワークに接続する。
【００２５】
図2Bは、本開示の一態様による、RAN120、および3G UMTS W-CDMAシステム内のGPRSコアネットワークとして構成されたコアネットワーク140のパケット交換部分の例示的な構成を示す。図2Bを参照すると、RAN120は、ワイヤードバックホールインターフェースを介して無線ネットワークコントローラ(RNC)215Bに結合される複数のノードB200B、205Bおよび210Bを含む。1xEV-DOネットワークと同様に、単一のRNCによって制御されるノードBのグループは、サブネットと総称される。当業者なら諒解するように、RAN120は、複数のRNCおよびサブネットを含むことができるが、便宜上、図2Bには単一のRNCを示す。RNC215Bは、コアネットワーク140内のサービングGRPSサポートノード(SGSN)220Bと、RAN120によってサービスされるUEとの間で、シグナリングし、ベアラチャネル(すなわち、データチャネル)を確立し、それを切断することを担う。また、リンクレイヤ暗号化が可能な場合、RNC215Bは、エアインターフェースを介する送信のためにコンテンツをRAN120に転送する前に、コンテンツを暗号化する。RNC215Bの機能は、当技術分野でよく知られており、簡潔にするためこれ以上は説明しない。
【００２６】
図2Bにおいて、コアネットワーク140は、先に言及されたSGSN220B(そして、潜在的にはいくつかの他のSGSN)と、GGSN225Bとを含む。一般に、GPRSは、IPパケットをルーティングするためにGSM(登録商標)において使用されるプロトコルである。GPRSコアネットワーク(たとえば、GGSN225Bおよび1つまたは複数のSGSN220B)は、GPRSシステムの中心部分であり、W-CDMAベースの3Gアクセスネットワークのサポートも提供する。GPRSコアネットワークは、GSM(登録商標)およびW-CDMAネットワークにおけるIPパケットサービスのモビリティ管理、セッション管理、およびトランスポートを提供する、GSM(登録商標)コアネットワーク(すなわち、コアネットワーク140)の一体化された部分である。
【００２７】
GPRSトンネリングプロトコル(GTP)は、GPRSコアネットワークの限定的なIPプロトコルである。GTPは、GGSN225Bにおいて、1つの場所からインターネット175に接続し続けているかのようにしながら、GSM(登録商標)またはW-CDMAネットワークのエンドユーザ(たとえば、UE)が方々に移動できるようにするプロトコルである。これは、それぞれのUEのデータを、UEの現在のSGSN220Bから、それぞれのUEのセッションを処理しているGGSN225Bに転送することによって達成される。
【００２８】
GTPの3つの形態、すなわち、(i)GTP-U、(ii)GTP-Cおよび(iii)GTP'(GTP Prime)がGPRSコアネットワークによって使用される。GTP-Uは、各パケットデータプロトコル(PDP)コンテキスト用の分離されたトンネルにおけるユーザデータの転送に使用される。GTP-Cは、制御シグナリング(たとえば、PDPコンテキストのセットアップおよび削除、GSN到達可能性の検証、加入者があるSGSNから別のSGSNに移動した場合などの更新または修正など)に使用される。GTP'は、GSNから課金機能への課金データの転送に使用される。
【００２９】
図2Bを参照すると、GGSN225Bは、GPRSバックボーンネットワーク(図示せず)とインターネット175との間のインターフェースとしての役割を果たす。GGSN225Bは、SGSN220Bから来るGPRSパケットから、関連するパケットデータプロトコル(PDP)形式(たとえば、IPまたはPPP)を有するパケットデータを抽出し、対応するパケットデータネットワーク上でパケットを送出する。反対方向において、着信データパケットは、GGSNに接続されたUEによってSGSN220Bに向けられ、SGSN220Bは、RAN120によってサービスされるターゲットUEの無線アクセスベアラ(RAB)を管理および制御する。それによって、GGSN225Bは、ターゲットUEの現在のSGSNアドレスおよびその関連するプロファイルをロケーションレジスタ(たとえば、PDPコンテキスト内)に記憶する。GGSN225Bは、IPアドレス割当てを担い、接続されたUEのデフォルトルータである。また、GGSN225Bは、認証および課金機能を実施する。
【００３０】
SGSN220Bは、ある例では、コアネットワーク140内の多くのSGSNのうちの1つを表す。各SGSNは、関連する地理的サービスエリア内で、UEとの間でのデータパケットの配信を担う。SGSN220Bのタスクは、パケットルーティングおよび転送、モビリティ管理(たとえば、アタッチ/デタッチおよびロケーション管理)、論理リンク管理、ならびに認証機能および課金機能を含む。SGSN220Bのロケーションレジスタは、ロケーション情報(たとえば、現在のセル、現在のVLR)、およびSGSN220Bに登録されたすべてのGPRSユーザのユーザプロファイル(たとえば、パケットデータネットワークにおいて使用されるIMSI、PDPアドレス)を、たとえば、ユーザまたはUEごとに1つまたは複数のPDPコンテキスト内に記憶する。したがって、SGSN220Bは、(i)GGSN225BからのダウンリンクGTPパケットの逆トンネリング、(ii)GGSN225Bに向かうIPパケットのアップリンクトンネリング、(iii)UEがSGSNサービスエリア間を移動するときのモビリティ管理の実践、および(iv)モバイル加入者への請求を担う。当業者によって理解されるように、(i)〜(iv)の他に、GSM(登録商標)/EDGEネットワークのために構成されたSGSNは、W-CDMAネットワークのために構成されたSGSNと比較して、わずかに異なる機能性を有する。
【００３１】
RAN120(たとえば、またはUMTSシステムアーキテクチャにおけるUTRAN)は、無線アクセスネットワークアプリケーションパート(RANAP)プロトコルを介してSGSN220Bと通信する。RANAPは、Iuインターフェース(Iu-ps)を介して、フレームリレーまたはIPなどの伝送プロトコルを用いて動作する。SGSN220Bは、SGSN220Bおよび他のSGSN(図示せず)と内部のGGSN(図示せず)との間のIPベースのインターフェースであり、上記で定義されたGTPプロトコル(たとえば、GTP-U、GTP-C、GTP'など)を使用する、Gnインターフェースを介してGGSN225Bと通信する。図2Bの実施形態では、SGSN220BとGGSN225Bとの間のGnは、GTP-CとGTP-Uの両方を搬送する。図2Bには示されないが、Gnインターフェースは、ドメイン名システム(DNS)によっても使用される。GGSN225Bは、公衆データネットワーク(PDN)(図示せず)に、次にインターネット175に、IPプロトコルによるGiインターフェースを介して直接、またはワイヤレスアプリケーションプロトコル(WAP)ゲートウェイを介して接続される。
【００３２】
図2Cは、本開示の一態様による、RAN120、および3G UMTS W-CDMAシステム内のGPRSコアネットワークとして構成されたコアネットワーク140のパケット交換部分の別の例示的な構成を示す。図2Bと同様に、コアネットワーク140は、SGSN220BおよびGGSN225Bを含む。しかしながら、図2Cでは、ダイレクトトンネルは、SGSN220BがPSドメイン内のRAN120とGGSN225Bとの間のダイレクトユーザプレーントンネル、すなわちGTP-Uを確立することを可能にする、Iuモードにおける任意選択の機能である。図2CのSGSN220Bなどのダイレクトトンネル対応SGSNは、SGSN220Bがダイレクトユーザプレーン接続を使用できるかどうかにかかわらず、GGSN単位およびRNC単位で構成され得る。図2CのSGSN220Bは、制御プレーンシグナリングを処理し、ダイレクトトンネルをいつ確立するべきかの決定を行う。PDPコンテキストに割り当てられたRABが解放される(すなわち、PDPコンテキストが保たれる)とき、ダウンリンクパケットを処理できるようにするために、GGSN225BとSGSN220Bとの間にGTP-Uトンネルが確立される。
【００３３】
図2Dは、本開示の一態様による、RAN120、および発展型パケットシステム(EPS)またはLTEネットワークに基づくコアネットワーク140のパケット交換部分の例示的な構成を示す。図2Dを参照すると、図2B〜図2Cに示すRAN120とは異なり、EPS/LTEネットワーク内のRAN120は、図2B〜図2CのRNC215Bなしで、複数のeノードB200D、205D、および210Dとともに構成される。これは、EPS/LTEネットワーク内のeノードBは、コアネットワーク140と通信するためにRAN120内に別個のコントローラ(すなわち、RNC215B)を必要としないからである。言い換えると、図2B〜図2CからのRNC215Bの機能のうちのいくつかは、図2D内のRAN120のそれぞれのeノードBに組み込まれる。
【００３４】
図2Dにおいて、コアネットワーク140は複数のモビリティ管理エンティティ(MME)215Dおよび220Dと、ホーム加入者サーバ(HSS)225Dと、サービングゲートウェイ(S-GW)230Dと、パケットデータネットワークゲートウェイ(P-GW)235Dと、ポリシーおよび課金規則機能(PCRF)240Dとを含む。これらの構成要素と、RAN120と、インターネット175との間のネットワークインターフェースが図2Dに示されており、Table 1(表1)(以下)において次のように定義される。
【００３５】
【表１】
0006727207.tif 000002
【００３６】
ここで、図2DのRAN120およびコアネットワーク140に示す構成要素のハイレベル記述について説明する。しかしながら、これらの構成要素はそれぞれ、様々な3GPP TS規格により当技術分野でよく知られており、本明細書に含まれる説明は、これらの構成要素によって実施されるすべての機能性の網羅的な説明となるものではない。
【００３７】
図2Dを参照すると、MME215Dおよび220Dは、EPSベアラのための制御プレーンシグナリングを管理するように構成される。MME機能は、非アクセス層(NAS)シグナリング、NASシグナリングセキュリティ、技術間ハンドオーバおよび技術内ハンドオーバのモビリティ管理、P-GWおよびS-GW選択、ならびにMME変更を伴うハンドオーバのためのMME選択を含む。
【００３８】
図2Dを参照すると、S-GW230Dは、RAN120に向かうインターフェースを終端するゲートウェイである。EPSベースシステムのコアネットワーク140に関連付けられたUEごとに、所与の時点において、単一のS-GWが存在する。S-GW230Dの機能は、GTPベースおよびプロキシモバイルIPv6(PMIP)ベースのS5/S8の両方に関して、モビリティアンカーポイント、パケットルーティングおよびフォワーディング、ならびに関連するEPSベアラのQoSクラス識別子(QCI)に基づくディフサーブコードポイント(DSCP:DiffServ Code Point)の設定を含む。
【００３９】
図2Dを参照すると、P-GW235Dは、パケットデータネットワーク(PDN)、たとえば、インターネット175に向かうSGiインターフェースを終端するゲートウェイである。UEが複数のPDNにアクセスしている場合、そのUEのために2つ以上のP-GWが存在し得るが、S5/S8接続性とGn/Gp接続性の混合は、通常、そのUEに関して同時にサポートされない。P-GW機能は、GTPベースのS5/S8の両方に関して、(ディープパケット検査による)パケットフィルタリング、UE IPアドレス割振り、関連するEPSベアラのQCIに基づくDSCPの設定、オペレータ間の課金のためのアカウンティング、3GPP TS 23.203に定義されたアップリンク(UL)およびダウンリンク(DL)ベアラバインディング、3GPP TS 23.203に定義されたULベアラバインディング検証を含む。P-GW235Dは、E-UTRAN、GERAN、またはUTRANのいずれかを使用して、GSM(登録商標)/EDGE無線アクセスネットワーク(GERAN)/UTRAN専用UEとE-UTRAN対応UEの両方にPDN接続性を提供する。P-GW235Dは、S5/S8インターフェースを介して、E-UTRANのみを使用してE-UTRAN対応UEにPDN接続性を提供する。
【００４０】
図2Dを参照すると、PCRF240Dは、EPSベースコアネットワーク140のポリシーおよび課金制御要素である。非ローミングシナリオでは、UEのインターネットプロトコル接続性アクセスネットワーク(IP-CAN)セッションに関連付けられたHPLMN内に単一のPCRFが存在する。PCRFは、RxインターフェースおよびGxインターフェースを終端する。トラフィックのローカルブレークアウトを伴うローミングシナリオでは、UEのIP-CANセッションに関連付けられた2つのPCRFが存在し得る。ホームPCRF(H-PCRF)は、HPLMN内に存在するPCRFであり、訪問先PCRF(V-PCRF)は、訪問先VPLMN内に存在するPCRFである。PCRFは、3GPP TS 23.203により詳細に説明されており、したがって、簡潔にするためにこれ以上は説明しない。図2Dでは、アプリケーションサーバ170(たとえば、3GPP用語ではAFと呼ばれ得る)は、インターネット175を介してコアネットワーク140に、または代替的にRxインターフェースを介して直接PCRF240Dに接続されるものとして示されている。一般に、アプリケーションサーバ170(またはAF)は、コアネットワークとともにIPベアラリソース(たとえば、UMTS PSドメイン/GPRSドメインリソース/LTE PSデータサービス)を使用するアプリケーションを提供する要素である。アプリケーション機能の一例は、IPマルチメディアサブシステム(IMS)コアネットワークサブシステムのプロキシコールセッション制御機能(P-CSCF)である。AFは、PCRF240Dにセッション情報を提供するためにRx参照点を使用する。セルラーネットワークを介してIPデータサービスを提供する他のいかなるアプリケーションサーバも、Rx参照点を介してPCRF240Dに接続され得る。
【００４１】
図2Eは、本開示の一態様による、EPSまたはLTEネットワーク140Aに接続された拡張型高速パケットデータ(HRPD)RANとして構成されたRAN120、およびまたHRPDコアネットワーク140Bのパケット交換部分の例を示す。コアネットワーク140Aは、図2Dに関して上記で説明したコアネットワークと同様に、EPSまたはLTEコアネットワークである。
【００４２】
図2Eでは、eHRPD RANは、拡張BSC(eBSC)および拡張PCF(ePCF)215Eに接続される複数の基地トランシーバ局(BTS)200E、205Eおよび210Eを含む。eBSC/ePCF215Eは、S101インターフェースを介してEPSコアネットワーク140A内のMME215Dまたは220Dのうちの1つに接続することができ、EPSコアネットワーク140A内の他のエンティティとインターフェースするためのA10および/またはA11インターフェースを介してHRPDサービングゲートウェイ(HSGW)220Eに(たとえば、S103インターフェースを介してS-GW220Dに、S2aインターフェースを介してP-GW235Dに、Gxaインターフェースを介してPCRF240Dに、STaインターフェースを介して3GPP AAAサーバ(図2Dには明示的に示されていない)に、など)接続することができる。HSGW220Eは、HRPDネットワークとEPS/LTEネットワークとの間のインターワーキングを提供するために3GPP2において定義される。諒解されるように、eHRPD RANおよびHSGW220Eは、レガシーHRPDネットワークにおいて利用できないEPC/LTEネットワークへのインターフェース機能性で構成される。
【００４３】
再びeHRPD RANを参照すると、EPS/LTEネットワーク140Aとインターフェースすることに加えて、eHRPD RANは、HRPDネットワーク140Bなど、レガシーHRPDネットワークとインターフェースすることもできる。諒解されるように、HRPDネットワーク140Bは、図2AからのEV-DOネットワークなどのレガシーHRPDネットワークの例示的な実装形態である。たとえば、eBSC/ePCF215Eは、A12インターフェースを介して認証、認可およびアカウンティング(AAA)サーバ225Eと、またはA10もしくはA11インターフェースを介してPDSN/FA230Eとインターフェースすることができる。PDSN/FA230Eは次にHA235Eに接続し、HA235Eを通して、インターネット175にアクセスし得る。図2Eでは、いくつかのインターフェース(たとえば、A13、A16、H1、H2など)は明示的に説明されていないが、完全を期すために示されており、HRPDまたはeHRPDに精通している当業者には理解されるであろう。
【００４４】
図2B〜図2Eを参照すると、LTEコアネットワーク(たとえば、図2D)、ならびにeHRPD RANおよびHSGWとインターフェースするHRPDコアネットワーク(たとえば、図2E)は、場合によっては、(たとえば、P-GW、GGSN、SGSNなどによって)ネットワーク主導型サービス品質(QoS)をサポートすることができることが諒解されよう。
【００４５】
本開示の一態様によると、図3は、いくつかのデバイスが、ワイヤレスワイドエリアネットワーク(WWAN)または他のネットワークインフラストラクチャ(たとえば、LTEネットワーク)にも接続しながら、ピアツーピア(P2P)技術(たとえば、LTEダイレクト(LTE-D)、Wi-Fiダイレクト(WFD)、Bluetooth(登録商標)など)を使うダイレクトデバイス間(D2D)接続を介して通信することができる、例示的なワイヤレス通信システム300を示す。図3を参照すると、アプリケーションサーバ370(たとえば、図1、図2D、図2Eのアプリケーションサーバ170など)が、第1の基地局332を有する第1のセル330、および第2の基地局342を有する第2のセル340に接続され、アプリケーションサーバ370は、ネットワークリンク320(たとえば、図2DのRxリンク、図2EのGxリンクなど)を介して、第1の基地局332および第2の基地局342に結合される。所与の基地局のカバレージエリアは、所与の基地局が位置するセルによって表され、それによって、説明の目的で、第1のセル330は、第1の基地局332に対応するカバレージエリアを含み、第2のセル340は、第2の基地局342に対応するカバレージエリアを含む。ワイヤレス通信システム300内の各セル330、340は、それぞれの基地局332、342と通信し、それぞれの基地局332、342を介してアプリケーションサーバ370と通信する様々なUEを含む。たとえば、図3に示す実施形態では、第1のセル330はUE334、UE336、およびUE338を含むが、第2のセル340はUE344、UE346、およびUE348を含み、ワイヤレス通信システム300内のUEのうちの1つまたは複数は、モバイルデバイスまたは他のワイヤレスデバイスであり得る。図3には示されていないが、いくつかの実施形態では、基地局332、342は、バックホールリンクを介して互いに接続され得る。
【００４６】
本明細書で説明する様々な例示的な実施形態によると、UE334、UE336、UE338、UE344、UE346、およびUE348のうちの1つまたは複数は、ダイレクト(またはD2D)P2P通信をサポートすることができ、それによって、そのようなUEは、別のデバイスまたは第1の基地局332および第2の基地局342などのネットワークインフラストラクチャ要素を通して通信する必要なしに、互いと直接通信することをサポートすることができ、第1の基地局332および/または第2の基地局342などのネットワークインフラストラクチャ要素を通した通信をサポートすることもできる。ネットワークインフラストラクチャを伴う通信では、信号は一般に、第1のセル330内のリンク322および第2のセル340内のリンク324などの、様々なUEと基地局332、342との間のアップリンク接続およびダウンリンク接続を通じて送信および受信され得る。基地局332、342の各々は一般に、対応するセル330、340内のUEのためのアタッチメントポイントとして働き、その中でサービスされるUE間の通信を容易にする。一態様によると、UE334およびUE336などの2つ以上のUEが、互いと通信することを望み、互いに十分近接して位置しているとき、UE334、336にサービスする基地局332からのトラフィックをオフロードし得るダイレクトP2Pリンクがそれらの間で確立され、UE334、336がより効率的に通信することを可能にするか、または当業者には明らかである他の利点を与えることができる。
【００４７】
図3に示すように、UE346は、リンク324を介して仲介基地局342を通してUE348と通信することができ、UE346、348は、P2Pリンク356を介してさらに通信することができる。さらに、参加UEが異なる近くのセルにあるセル間通信の場合、ダイレクトP2P通信リンクは依然として可能であり、これは、UE338およびUE344が破線のリンク354によって示されるダイレクトP2P通信を使用して通信し得る図3に示されている。
【００４８】
LTEダイレクト(LTE-D)は、近接発見のための、提案された3GPP(リリース12)デバイス間(D2D)ソリューションである。LTE-Dは、広い範囲(見通し線で約500m)内の他のLTE-Dデバイス上のサービスに関して直接監視をすることによって、ロケーション追跡およびネットワーク呼を不要にする。LTE-Dは、バッテリ効率的な同期システムにおいて継続してそのようにし、近接している数千のサービスを同時に検出することができる。LTE-Dは、Wi-Fiダイレクト(WFD)またはBluetooth(登録商標)など、他のD2D P2P技術よりも広い範囲を有する。
【００４９】
LTE-Dは、モバイルアプリケーションに対するサービスとして、ライセンス済みスペクトル上で動作する。LTE-Dは、サービスレイヤ発見と、D2D通信も可能にするデバイス間(D2D)ソリューションである。LTE-Dデバイス上のモバイルアプリケーションは、他のデバイス上のモバイルアプリケーションサービスについて追跡するとともに、物理レイヤにおいて(他のLTE-Dデバイス上のサービスによる検出のために)それら自体のサービスを告知するよう、LTE-Dに命令してもよく、そうすることにより、LTE-Dが継続して作業をする間、アプリケーションは閉じ、関連付けられたアプリケーションによって確立された「モニタ」との合致が検出されたとき、クライアントアプリケーションに通知する。たとえば、アプリケーションは、「テニスイベント」向けのモニタを確立することができ、LTE-D発見レイヤは、テニス関連LTE-Dメッセージが検出されたとき、アプリケーションを起動してもよい。
【００５０】
LTE-Dはしたがって、開発者の既存クラウドサービスの拡張として近接発見ソリューションを展開することを求めるモバイル開発者にとって魅力的な代替法である。LTE-Dは、モバイルアプリケーションが、関連性一致を識別する際に集中データベース処理なしですますための、(今日存在する集中発見に対して)分散発見ソリューションであり、代わりに、関連する属性を送信し、監視することによって、デバイスレベルでの関連を自律的に判断する。LTE-Dは、LTE-Dが近接を判断するのに永続ロケーション追跡を使用しないという点で、プライバシーならびに電力消費においていくつかの利益をもたらす。クラウド中ではなくデバイス上での発見を続けることによって、ユーザは、どのような情報が外部デバイスと共有されるかを、より制御することができる。
【００５１】
LTE-Dは、近接ピアの発見と、近接ピアの間の通信を容易にすることの両方のために、「エクスプレッション」に依拠する。アプリケーションレイヤおよび/またはサービスレイヤにおけるエクスプレッションは、「エクスプレッション名」(たとえば、ShirtSale@Gap.com、Jane@Facebook.comなど)と呼ばれ、アプリケーションレイヤおよび/またはサービスレイヤにおけるエクスプレッション名は、「エクスプレッションコード」と呼ばれる、物理レイヤにおけるビットストリングにマップされる。ある例では、各エクスプレッションコードは、192ビットの長さ(たとえば、「11001111...1011」など)を有し得る。諒解されるように、特定のエクスプレッションへのいかなる参照も、コンテキストによってはエクスプレッションの関連付けられたエクスプレッション名、エクスプレッションコード、または両方を指すことができ、さらに、エクスプレッションは、マッピングタイプに基づいてプライベートまたはパブリックのいずれかであり得る。パブリックエクスプレッションは、公表され、プライベートエクスプレッションが特定の観衆をターゲットとするための、どのアプリケーションによっても識別することができる。
【００５２】
LTE-Dにおける発見は、LTEネットワーク自体によって構成されるパラメータに基づいて、同期して動作する。たとえば、周波数分割複信(FDD)および/または時分割複信(TDD)は、セッション情報ブロック(SIB)を介してサービングeノードBによって割り当てられ得る。サービングeノードBは、サービス発見(またはP2P発見)メッセージの送信によりLTE-Dデバイスがそれら自体を告知する間隔(たとえば、20秒ごと、など)を構成することもできる。たとえば、10MHz FDDシステムの場合、eノードBは、直接発見リソース(DRID)の数が44×64=2816となるように、20秒ごとに起こるとともに64個のサブフレームを含む発見期間に従って、発見に使われるべき44個の物理アップリンク共有チャネル(PUSCH)無線ベアラ(RB)を割り振ればよい。
【００５３】
少なくとも1つの実施形態では、2つ以上のLTE-Dデバイスが、互いを発見し、通信用のLTE-Dセッションを確立することを望んだ後、LTEネットワークは、本明細書においてネットワーク支援接続セットアップと呼ばれる、LTE-Dセッションの確立を認可するよう求められ得る。LTEネットワークがLTE-Dセッションを認可した場合、実際のメディアがLTE-Dデバイスの間のD2D通信を介して交換され、ここでピアLTE-D対応デバイスは、近接サービス、アプリケーション、およびコンテキストを発見するのにエクスプレッションを使い、直接通信を効率的なやり方で確立する。
【００５４】
たとえば、本開示の一態様によると、図4は、LTE-D対応デバイスが定期的間隔で(たとえば、20秒ごとに)ブロードキャストおよび/または発見することができる例示的なLTEダイレクト(LTE-D)エクスプレッション400を示す。図4に示すように、LTE-Dエクスプレッション400は、6ビットのエクスプレッションタイプフィールド405、および192ビットのエクスプレッションコードフィールド410を含むことができ、192ビットのエクスプレッションコードフィールド410は、エクスプレッションをブロードキャストした特定のLTE-Dデバイスに関連付けられた一意な識別子415と、ブロードキャスト元LTE-Dデバイスが、近接している他のLTE-D対応デバイスと共有する意向であり得るサービスおよび/またはアプリケーションなど、様々なタイプのデータを含み得る1つまたは複数のメタデータフィールド420とをさらに含み得る。たとえば、ある地域の事業所が、音楽ストリーミングなどの娯楽ブロードキャストサービスを、LTE-Dを介して消費者に提供する場合がある。そのコンテキストでは、事業所に置かれたLTE-Dデバイスが、共有可能な音楽を、LTE-Dエクスプレッションを使って「共有」としてブロードキャストし得る。そのコンテキストでは、共有可能音楽をブロードキャストするLTE-Dエクスプレッション400は、LTE-Dエクスプレッション400が共有サービスに関することを示すためのエクスプレッションタイプ405を含んでよく、メタデータフィールド420は、共有するために提供される特定の音楽を識別するための情報を含み得る(たとえば、‘Artist: Album name' {Share: Justin Timberlake, Beyonce | Share: Jazz, Electronic, etc.})。
【００５５】
D2D通信コンテキストにおいて、D2D通信能力を有するデバイスは概して、デバイスがサポートするカバレージエリア内の他のデバイスを発見するだけでよく、デバイスは次いで、デバイスがサポートするカバレージエリア内に入ったことにより発見される、近接している他のD2D対応デバイスと情報および/または他のデータを交換するために、D2D通信を使ってもよい。したがって、D2D通信は概して、各D2D対応デバイスがサポートするカバレージに依存し得る。たとえば、本開示の一態様によると、図5A〜図5Cは、1つまたは複数のデバイスがD2D接続を介して通信することができる、例示的なワイヤレス通信システムを示す。より具体的には、図5Aを参照すると、最初に、UE1...Nが図に示すように配置されていると仮定するが、ここでUE1は、第1のカバレージエリア(または発見領域)510をサポートし、したがって、カバレージエリア510の内側にある他のデバイスを、特定のP2P技術(たとえば、LTE-D、WFD、Bluetooth(登録商標)など)を使って検出することができる。さらに、図5Aに示すように、UE2は、第2のカバレージエリア520をサポートし、したがって、カバレージエリア520の内側にある他のデバイスを、特定のP2P技術を使って検出することができる。図5Aに示す使用ケースにおいて、UE2は、UE1がサポートするカバレージエリア510に入り、UE1も同様に、UE2がサポートするカバレージエリア520に入り、これにより、UE1およびUE2は、互いを発見するのに十分に近接している。一方、UE3およびUE5...Nは、UE1およびUE2がUE3およびUE5...Nを検出することができないとともに、同様の点において、UE3およびUE5...NがUE1およびUE2を検出することができないように、カバレージエリア510および520の外にある。
【００５６】
一実施形態において、UE2に関連付けられたユーザが、UE1がLTE-Dまたは別の適切なD2D技術により共有している可能性がある特定のアーティストからの特定のアルバムを聞くことに関心をもち得る例について検討する。その場合、UE1は、カバレージエリア510内での音楽共有を示すエクスプレッションを定期的にブロードキャストすると仮定されてもよく、UE2は、カバレージエリア520内で、ユーザが聞くことに関心をもつ音楽と合致するエクスプレッションを定期的に探索してもよい。したがって、UE1およびUE2は互いのそれぞれのカバレージエリア510、520内に置かれているので、UE2はエクスプレッションを検出することができ、それによって、UE2は、LTE-Dまたは他の適切なD2D技術を使って、UE1とのストリーミングセッションを確立することができる。ただし、デバイスは、デバイスがサポートするカバレージエリア内の他のデバイスとD2Dで通信することができるだけなので、UE2は、音楽を共有している可能性があるピアUE1に関連付けられたカバレージエリア510にある間、満足できる音楽品質を享受することができるだけである。したがって、モビリティ、不良チャネル条件、または他の要因により、UE2は、ピアUE1から音楽ストリーミングサービスを受信する際に、喪失または劣化を受ける場合がある。さらに、同じコンテンツを共有する意向である追加中継ノードまたは他のピアがある場合であっても、UE2は、関心あるエクスプレッションを探索するための次の発見周期(たとえば、約20秒)まで、音楽のストリーミングを再度始めるのを待たなければならない。たとえば、図5Bを参照すると、カバレージエリア530を有するUE3は、UE1がカバレージエリア510内で共有しているのと同じコンテンツを共有している場合がある。さらに、図5Cを参照すると、UE1とUE2との間のD2D接続は、UE2が、UE1に関連付けられたカバレージエリア510の外に移動することにより、どこかの時点において劣化するか、または失われる可能性がある。したがって、UE3が、同じコンテンツを共有する意向であり得るとしても、UE2は、関心あるエクスプレッションを探索し、UE3からの音楽ストリームを再開する前に、UE1とのD2D接続が劣化し、または失われた後の次の発見周期まで待たなければならない。
【００５７】
したがって、以下の説明は、LTE-Dまたは他の適切なD2D技術を介してサービスを利用する際に連続性を維持するための様々な例示的な方法を提供し、これらの方法は概して、ユーザ関心に基づくエクスプレッションを先制的に探索し、選択すること、および現在のセッションが予想外に劣化または停止したときにD2Dリンクを確立し直すことを試みることを伴い得る。具体的には、各発見周期中、D2D通信によるピアUEからのサービスを利用することを求めるUEは、UEが関心をもち得るサービスに合致するエクスプレッションを含むリストを維持し、更新してもよく、リストは、様々な基準に従って並べられ、喪失もしくは劣化セッションをシームレスに、または少なくとも、UEが、代替ピアを探索および/もしくは選択し始める前に、セッションが失われるか、もしくは劣化した後の次の発見周期まで待たなければならない場合に要求されるよりも少ない時間で確立し直すためのピアを見つけるのに使うことができる。たとえば、一実施形態では、関心あるエクスプレッションを含むリストは、あらかじめ定義されたユーザ関心リストに従って、低下中の信号強度に従って、および/またはリンクを確立し直すことを試みる(たとえば、現在のピアとのリンクを確立し直すことを試み、次いで、現在のピアとのリンクを確立し直すための試みが失敗した場合、最も高い受信信号強度を有する、現在アクティブなピアとのリンクを確立し直すことを試みる)際に最良可能ピアが確実に使われるようにする他のやり方で、直近/現在アクティブなエクスプレッションを先頭に並べるようにソートされ得る。
【００５８】
さらに、ユーザが関心をもち得る他のエクスプレッションを先制的に探索および/または選択することをトリガするための様々な条件が定義されてもよい。たとえば、様々な実施形態において、トリガリング条件は、ダウンリンク電力閾値(PD)および/またはアップリンク電力閾値(PU)を含んでよく、先制探索および/または選択(preemptive search and/or selection)は、ダウンリンク上での受信電力が閾値PD未満になったことおよび/またはアップリンク上で使われる送信電力が閾値PUを超えたことに応答してトリガされ得る。代替として、一実施形態では、トリガリング条件は、アップリンクおよび/またはダウンリンク上での不良チャネル条件を示し得る、あらかじめ定義された数の否定応答(NACK)を受信した後に起こり得る。さらなる代替法では、現在のエクスプレッションとの類似エクスプレッションを発見するための事前探索が、現在のエクスプレッションが選択された後、すべての発見周期において、および/または定期的間隔で実践され得る。その上、一実施形態では、先制探索は、様々な探索基準または他のアルゴリズムを使用することができ、これらは、明らかなように、現在の(アクティブな)エクスプレッション、ユーザのあらかじめ定義された関心(たとえば、好まれる音楽ジャンル)、および/または他の任意の適切な探索基準との最も近い語彙的合致を含み得る。
【００５９】
より具体的には、本開示の一態様によると、図6は、LTE-D対応デバイスが、現在のLTE-Dセッションが喪失または劣化を受ける可能性がある場合、無中断D2D通信を維持するためにLTE-Dエクスプレッションを先制的に探索し、選択することができる、例示的なタイムラインを示し、図6に示すタイムラインについて、図5A〜図5Cに示す例示的なワイヤレス通信システムを伴うコンテキストにおいて記載する。一実施形態では、図6を参照すると、UE2は最初に、610において、D2D通信をサポートするピアツーピア(P2P)アプリケーションを開き、エクスプレッション探索を始め得る。したがって、UE2は、発見周期602中に1つまたは複数の関心あるエクスプレッションを発見する場合があり、発見周期602中に発見された関心あるエクスプレッションは、少なくとも、カバレージエリア501内のUE1からブロードキャストされたエクスプレッションを含み得る。一実施形態では、620において、UE2は、UE1とのD2D通信セッションを開始するためにLTE-Dリンクを確立し、発見周期602中に発見された関心あるエクスプレッションをリストにさらに投入することができる。一実施形態では、UE2は次いで、現在のエクスプレッション(すなわち、UE1とのD2Dセッションを確立するのに使われるエクスプレッション)と同様の他のエクスプレッションを先制的に探索するために、1つまたは複数の後続発見周期604、606などを使ってもよい。したがって、630および640において、UE2は、1つまたは複数の探索基準に基づく、類似エクスプレッションの事前探索を行い、620において最初に投入されたリストを更新することができ、630および640における事前探索は、620においてUE1と確立されたD2Dリンク中にいかなる喪失も劣化もなかった可能性がある場合であっても起こり得る。代替として、事前探索動作は電力を消費し得るので、事前探索は、連続する発見周期において行われる必要はない。したがって、いくつかの使用ケースでは、事前探索は、代替的省電力パターン(たとえば、1つおきの発見周期)に基づき得る。
【００６０】
いずれの場合も、各事前探索に続いて、リストは、ユーザ選好、低下中の信号強度、直近、および/または他の基準に従って更新され、並べられ得る。したがって、図5Bを伴うコンテキストにおいて、UE2が、発見周期604および/または発見周期606中に事前探索を行うと想定し、その場合、UE2は、UE3がカバレージエリア530内でブロードキャストした類似エクスプレッションを発見することができ、それにより、リストは、630および/または640において、UE3から発見された類似エクスプレッションを含むように更新されてもよい。一実施形態では、UE1とのアクティブセッションが、650において失われるか、または劣化すると想定すると、先制トリガにより、UE2が660において現在のリストから類似エクスプレッションを選択することができ、これは、アクティブセッションが失われたか、または劣化した後、次の発見周期608に先立って起こり得る。たとえば、図5Cを参照すると、UE1とのアクティブセッションは、UE2がカバレージエリア510の端に向かうと、劣化し、かつ/またはUE2がカバレージエリア510の外に移動すると失われ得る。したがって、代替ピアを選択するためのトリガは、UE1とのアクティブセッションが失われたか、または劣化したことをUE2が検出すると、660において起こり得る(たとえば、受信ダウンリンク電力が閾値PDを下回った、アップリンク上でUE1と通信するのに使われるアップリンク送信電力が閾値PUを超えた、UE2が、アップリンクおよび/またはダウンリンク上での不良チャネル条件を示し得る、あらかじめ定義された数のNACKを受信している、などという理由で)。したがって、アクティブセッション喪失または劣化の後、次の発見周期608において代替ピアを探索および/または選択し始めるのではなく、UE2は、630および/または640において更新されたリスト中の類似エクスプレッションを、670において(たとえば、UE3との)リンクを確立し直すのに使ってもよく(たとえば、初期セッションの喪失または劣化に続く探索を行わずに)、そうすることによって、LTE-Dセッションの連続性およびアウトオブサービスシナリオからの迅速な回復が保証される。
【００６１】
本開示の一態様によると、図7は、LTE-D対応デバイスが、現在のLTE-Dセッションが喪失または劣化を受ける可能性がある場合、無中断D2D通信を維持するためにLTE-Dエクスプレッションを先制的に探索し、選択することができる、例示的な方法を示し、図7に示す方法は概して、図6に示すタイムラインに対応し得る。具体的には、705において、UEは最初に、D2D通信をサポートするP2Pアプリケーションを開き、エクスプレッション探索を始めればよい。したがって、UEは、710において、いずれかの関心あるエクスプレッションが見つかったかどうか判断し、関心あるエクスプレッションが見つからなかったと判断したことに応答して、705において探索を繰り返してもよい。そうではなく、少なくとも1つの関心あるエクスプレッションが見つかったと判断したことに応答して、UEは、715において、発見された関心あるエクスプレッションをリストに投入し、720において、リストからの少なくとも1つのピアUEとのD2D通信セッションを開始するためにLTE-Dリンクを確立することができる。
【００６２】
一実施形態では、725において、UEは次いで、720においてLTE-Dリンクを確立するのに使われたアクティブエクスプレッションと同様である他のエクスプレッションを事前に探索するために、1つまたは複数の後続発見周期を使ってもよい。したがって、725において、UEは、1つまたは複数の探索基準に基づく事前探索を行い、730において、探索基準に合致する1つまたは複数の関心あるエクスプレッションが見つかったかどうか判断することができる。一実施形態では、探索基準に合致する類似エクスプレッションが見つからなかったと判断したことに応答して、UEは、後続発見周期中に(たとえば、各発見周期中に、1つの発見周期おきに、または他のパターンに従って)725において事前探索を行い続けてもよい。ただし、探索基準に合致する1つまたは複数の類似エクスプレッションが見つかったとUEが判断した場合、UEは、N個の最良合致エクスプレッションを含むようにリストを更新し、更新されたリストを適切な基準に従って並べ替えればよい。
【００６３】
一実施形態では、UEは、アクティブセッションが失われたか、または劣化したかどうか検出するために、740においてアクティブセッションをさらに監視することができる。たとえば、740において、UEは、アクティブピアからの、ダウンリンク上での受信電力が閾値PDを下回ったかどうか、アップリンク上でアクティブピアと通信するのに使われる送信電力が閾値PUを超えたかどうか、アップリンクおよび/もしくはダウンリンク上での不良チャネル条件を示す、あらかじめ定義された数のNACKが受信されたかどうか、ならびに/または他の適切な情報が、アクティブセッションが失われ、かつ/もしくは劣化した可能性があることを示すかどうか判断することができる。したがって、アクティブセッションが失われたか、または劣化したと判断したことに応答して、UEは、リスト中に含まれる類似エクスプレッションに基づいて、745において先制選択プロセスを始めてもよい。より具体的には、750において、UEは、カウンタiを1に設定し、次いで、755において、エントリiをもつ、失われた、かつ/または劣化したセッションを確立し直すための試みが成功したかどうか判断してもよい。エントリiをもつリンクを確立し直すのに成功したと判断したことに応答して、方法は、720から再開し得る。それ以外の場合、UEは、760においてカウンタiを増分し、765において、カウンタiの現在の値が現在のリストサイズ以下であるかどうか(すなわち、iがN+1未満であるかどうか)判断してもよく、その場合、UEは755において、エントリiをもつ、失われた、かつ/または劣化したセッションを確立し直すための試みが成功したかどうか再度判断してもよい。ただし、765において、カウンタiの現在の値が現在のリストサイズを超えた場合、UEは、現在のピアおよび/またはリスト中の任意の代替ピアとのアクティブリンクを確立し直すのに成功することなく、関心あるエクスプレッションリストを試し尽くした可能性があり、その場合、UEは、770において、類似エクスプレッションを探索し、次の発見周期中にLTE-Dセッションを確立し直すことを試みればよい。
【００６４】
本開示の別の態様によると、図8は、LTE-D対応デバイスが、無中断D2D通信を維持するためにLTE-Dエクスプレッションを先制的に探索し、選択することができる、別の例示的なタイムラインを示す。ただし、図6に示すタイムラインは、先制探索が事前であり得る(たとえば、現在のセッション中に、いかなる喪失または劣化もなかった可能性がある場合であっても行われ得る)実装形態に関するが、図8に示すタイムラインは、先制探索が、アクティブセッションが劣化したことを検出したことに応答してトリガされ、劣化したセッションが完全に失われるのに先立って、次の発見周期中に行われ得る実装形態に関する。たとえば、上述したのと同様に、UEは最初に、810において、D2D通信をサポートするP2Pアプリケーションを開き、エクスプレッション探索を始め、発見周期802中に1つまたは複数の関心あるエクスプレッションを発見し、発見周期802中に発見された関心あるエクスプレッションを投入されたリストから選択されたピアデバイスとのD2D通信セッションを開始するために、820においてLTE-Dリンクを確立することができる。
【００６５】
ただし、図8において、UEは、830においてアクティブセッションが劣化したことを検出したことに応答して、現在のエクスプレッション(すなわち、820においてD2Dセッションを確立するのに使われるエクスプレッション)と同様の他のエクスプレッションについての先制探索をトリガし得る。したがって、UEは、アクティブセッション劣化に先立って起こる発見周期804中に類似エクスプレッションについての探索を行わなくてよい。そうではなく、830におけるアクティブセッション劣化を検出したことに応答して、UEは、現在のリストが、840において、類似した関心あるエクスプレッションを有するかどうか判断してもよく、その場合、UEは、新たなリンクをアクティブ化するか、またはさもなければ860において、現在のリストエントリからのセッションを確立し直せばよい。そうではなく、現在のリストが、いかなる類似した関心あるエクスプレッションももたないと判断したことに応答して、UEは、アクティブセッション劣化が検出されたすぐ後の次の発見周期806中に類似エクスプレッションを探索してもよい。言い換えると、次の発見周期806は、ユーザの関心に合致するエクスプレッションを、現在のリストがまだフェッチしていない場合に使われるだけでよい(たとえば、ユーザが、特定のアーティストの音楽共有を聴いている最中であり、リストが、そのアーティストに合致するエントリをまだ有していない場合、次の発見周期806は、類似エクスプレッションを探索するのに使われ得る)。いずれのケースでも、UEは、アクティブリンクが完全に失われる前に、850において、先制探索をトリガし、リストを付加し、次いで、新たなリンクをアクティブ化し、またはさもなければ860において現在のリストエントリからセッションを確立し直してもよく、そうすることによって、LTE-Dセッションの連続性およびアウトオブサービスシナリオからの迅速な回復が保証される。
【００６６】
本開示の一態様によると、図9は、LTE-D対応デバイスが、現在のLTE-Dセッションの劣化を検出したことに応答して、および現在のLTE-Dセッションの完全な喪失に先立って、無中断D2D通信を維持するためにLTE-Dエクスプレッションを先制的に探索し、選択することができる例示的な方法を示し、図9に示す方法は概して、図8に示すタイムラインに対応し得る。具体的には、905において、UEは最初に、D2D通信をサポートするP2Pアプリケーションを開き、エクスプレッション探索を始めればよい。したがって、UEは、910において、いずれかの関心あるエクスプレッションが見つかったかどうか判断し、関心あるエクスプレッションが見つからなかったと判断したことに応答して、905において探索を繰り返してもよい。そうではなく、少なくとも1つの関心あるエクスプレッションが見つかったと判断したことに応答して、UEは、915において、発見された関心あるエクスプレッションをリストに投入し、920において、リストからの少なくとも1つのピアUEとのD2D通信セッションを開始するためにLTE-Dリンクを確立することができる。
【００６７】
一実施形態では、925において、UEは、アクティブセッションが劣化したかどうか検出するために、アクティブセッションを監視することができる。たとえば、925において、UEは、アクティブピアからの、ダウンリンク上での受信電力が閾値PDを下回ったかどうか、アップリンク上でアクティブピアと通信するのに使われる送信電力が閾値PUを超えたかどうか、アップリンクおよび/もしくはダウンリンク上での不良チャネル条件を示すあらかじめ定義された数のNACKが受信されたかどうか、ならびに/または他の適切な情報が、アクティブセッションが劣化した可能性があることを示すかどうか判断することができる。したがって、アクティブセッションが劣化したと判断したことに応答して、UEは、現在のリストに基づいて、930において先制選択プロセスを始めればよい。より具体的には、930において、UEは、現在のリストが1つまたは複数の関心あるエクスプレッションを有するかどうか判断してもよく、ここでUEは、930においてリストがいかなる類似した関心あるエクスプレッションももたないと判断したことに応答して、955において、次の発見周期中に類似エクスプレッションを探索し、更新されたリストからLTE-Dセッションを確立し直すことを試みてもよい。それ以外の場合、現在のリストが1つまたは複数の類似した関心あるエクスプレッションを有すると判断したことに応答して、935において、UEは、カウンタiを1に設定し、次いで、940において、エントリiをもつ、失われた、かつ/または劣化したセッションを確立し直すための試みが成功したかどうか判断してもよい。エントリiをもつリンクを確立し直すのに成功したと判断したことに応答して、方法は、920から再開し得る。それ以外の場合、UEは、945においてカウンタiを増分し、950において、カウンタiの現在の値が現在のリストサイズ以下であるかどうか(すなわち、iがN+1未満であるかどうか)判断してもよく、その場合、UEは940において、エントリiをもつ、失われた、かつ/または劣化したセッションを確立し直すための試みが成功したかどうか再度判断してもよい。ただし、950において、カウンタiの現在の値が現在のリストサイズを超えた場合、UEは、現在のピアおよび/またはリスト中の任意の代替ピアとのアクティブリンクを確立し直すのに成功することなく、関心あるエクスプレッションリストを試し尽くした可能性があり、その場合、UEは、955において、類似エクスプレッションを探索し、次の発見周期中にLTE-Dセッションを確立し直すことを試みればよい。
【００６８】
図10は、本開示の一態様によるUEの例を示す。図10を参照すると、UE1000Aは発呼側電話として示され、UE1000Bはタッチスクリーンデバイス(たとえば、スマートフォン、タブレットコンピュータなど)として示されている。図10に示すように、UE1000Aの外部ケーシングは、当技術分野で知られているように、特に、アンテナ1005A、ディスプレイ1010A、少なくとも1つのボタン1015A(たとえば、PTTボタン、電源ボタン、音量調節ボタンなど)、キーパッド1020Aなどの構成要素で構成される。また、UE1000Bの外部ケーシングは、当技術分野で知られているように、特に、タッチスクリーンディスプレイ1005B、周辺ボタン1010B、1015B、1020B、および1025B(たとえば、電力制御ボタン、音量または振動制御ボタン、飛行機モードトグルボタンなど)、少なくとも1つのフロントパネルボタン1030B(たとえば、Homeボタンなど)などの構成要素で構成される。UE1000Bの一部として明示的に示されてはいないが、UE1000Bは、限定はしないが、Wi-Fiアンテナ、携帯アンテナ、衛星位置システム(SPS)アンテナ(たとえば全地球測位システム(GPS)アンテナ)などを含む1つもしくは複数の外部アンテナおよび/またはUE1000Bの外部ケーシングに内蔵された1つもしくは複数の集積アンテナを含み得る。
【００６９】
UE1000AおよびUE1000BなどのUEの内部構成要素は、それぞれに異なるハードウェア構成によって具体化され得るが、内部ハードウェア構成要素のための基本的なハイレベルUE構成は図10にプラットフォーム1002として示されている。プラットフォーム1002は、最終的にコアネットワーク140、インターネット175、および/または他のリモートサーバおよびネットワーク(たとえば、アプリケーションサーバ170、ウェブURLなど)から得ることのできるRAN120から送信されたソフトウェアアプリケーション、データ、および/またはコマンドを受信し実行することができる。プラットフォーム1002は、また、ローカルに記憶されたアプリケーションをRAN対話なしで独立して実行してもよい。プラットフォーム1002は、特定用途向け集積回路(「ASIC」)1008または他のプロセッサ、マイクロプロセッサ、論理回路、もしくは他のデータ処理デバイスに動作可能に結合されたトランシーバ1006を含み得る。ASIC1008または他のプロセッサは、ワイヤレスデバイスのメモリ1012内の任意の常駐プログラムとインターフェースするアプリケーションプログラミングインターフェース(API)1010レイヤを実行する。メモリ1012は、読取り専用メモリもしくはランダムアクセスメモリ(RAMおよびROM)、EEPROM、フラッシュカード、またはコンピュータプラットフォームに共通する任意のメモリから構成することができる。プラットフォーム1002は、また、メモリ1012内でアクティブに使用されないアプリケーション、ならびに他のデータを記憶することができるローカルデータベース1014も含むことができる。ローカルデータベース1014は、通常、フラッシュメモリセルであるが、磁気媒体、EEPROM、光学媒体、テープ、ソフトディスクまたはハードディスクなどの当技術分野で知られている任意の二次記憶デバイスであってもよい。
【００７０】
したがって、本明細書で開示する一実施形態は、本明細書で説明する機能を実施する能力を含むUE(たとえば、UE1000A、1000Bなど)を含み得る。当業者が諒解するように、様々な論理要素は、本明細書で開示する機能性を達成するために、個別の要素、プロセッサ上で実行されるソフトウェアモジュール、またはソフトウェアとハードウェアの任意の組合せで具体化され得る。たとえば、ASIC1008、メモリ1012、API1010およびローカルデータベース1014をすべて協働的に使用して、本明細書で開示する様々な機能をロード、記憶および実行し得、したがって、これらの機能を実施するための論理を様々な要素に分散し得る。代替として、機能性は1つの個別構成要素に組み込まれ得る。したがって、図10のUE1000Aおよび1000Bの特徴は例示的なものにすぎないと見なすべきであり、本開示は図示の特徴または構成に制限されない。
【００７１】
UE1000Aおよび/または1000BとRAN120との間のワイヤレス通信は、CDMA、W-CDMA、時分割多元接続(TDMA)、周波数分割多元接続(FDMA)、直交周波数分割多重(OFDM)、GSM(登録商標)、またはワイヤレス通信ネットワークもしくはデータ通信ネットワークで使用され得る他のプロトコルなどの異なる技術に基づくことができる。上記で説明し、当技術分野で知られているように、音声送信および/またはデータは、様々なネットワークおよび構成を使用してRANからUEに送信することが可能である。したがって、本明細書で提供する例示は、本明細書で開示する実施形態を限定するものではなく、単に本明細書で開示する実施形態の態様を説明するのを助けるためのものにすぎない。
【００７２】
図11に、機能性を実施するように構成された論理を含む通信デバイス1100を示す。通信デバイス1100は、限定はしないが、UE1000Aもしくは1000B、RAN120の任意の構成要素(たとえば、BS200A〜210A、BSC215A、ノードB200B〜210B、RNC215B、eノードB200D〜210Dなど)、コアネットワーク140の任意の構成要素(たとえば、PCF220A、PDSN225A、SGSN220B、GGSN225B、MME215Dもしくは220D、HSS225D、S-GW230D、P-GW235D、PCRF240D)、コアネットワーク140に結合される任意の構成要素、および/またはインターネット175(たとえば、アプリケーションサーバ170)などを含む、上述の通信デバイスのうちのいずれかに対応し得る。したがって、通信デバイス1100は、図1のワイヤレス通信システム100を介して1つまたは複数の他のエンティティと通信する(または通信を容易にする)ように構成された任意の電子デバイスに対応することができる。
【００７３】
図11を参照すると、通信デバイス1100は、情報を受信および/または送信するように構成された論理1105を含む。一例では、通信デバイス1100がワイヤレス通信デバイス(たとえば、UE1000Aまたは1000B、BS200A〜210Aのうちの1つ、ノードB200B〜210Bのうちの1つ、eノードB200D〜210Dのうちの1つなど)に対応する場合、情報を受信および/または送信するように構成された論理1105は、ワイヤレストランシーバおよび関連のハードウェア(たとえば、RFアンテナ、モデム、変調器および/または復調器など)などのワイヤレス通信インターフェース(たとえば、Bluetooth(登録商標)、Wi-Fi、2G、CDMA、W-CDMA、3G、4G、LTEなど)を含み得る。別の例では、情報を受信および/または送信するように構成された論理1105は、ワイヤード通信インターフェース(たとえば、インターネット175にアクセスする手段となり得るシリアル接続、USBまたはファイヤワイヤ接続、イーサネット(登録商標)接続など)に対応することができる。したがって、通信デバイス1100が、何らかのタイプのネットワークベースのサーバ(たとえば、PDSN、SGSN、GGSN、S-GW、P-GW、MME、HSS、PCRF、アプリケーション170など)に対応する場合、情報を受信および/または送信するように構成された論理1105は、ある例では、イーサネット(登録商標)プロトコルによってネットワークベースのサーバを他の通信エンティティに接続するイーサネット(登録商標)カードに対応することができる。さらなる例では、情報を受信および/または送信するように構成された論理1105は、通信デバイス1100が、そのローカル環境を監視する手段となり得る感知または測定ハードウェア(たとえば、加速度計、温度センサー、光センサー、ローカルRF信号を監視するためのアンテナなど)を含むことができる。情報を受信および/または送信するように構成された論理1105はまた、実行されると、情報を受信および/または送信するように構成された論理1105の関連ハードウェアがその受信機能および/または送信機能を実施することを可能にするソフトウェアを含むことができる。しかしながら、情報を受信および/または送信するように構成された論理1105は、ソフトウェアだけに対応するのではなく、情報を受信および/または送信するように構成された論理1105は、その機能性を達成するためのハードウェアに少なくとも部分的に依拠する。
【００７４】
図11を参照すると、通信デバイス1100は、情報を処理するように構成された論理1110をさらに含む。ある例では、情報を処理するように構成された論理1110は、少なくともプロセッサを含み得る。情報を処理するように構成された論理1110によって実施され得る処理のタイプの例示的な実装形態は、これに限定されないが、判断の実施、接続の確立、異なる情報オプション間の選択を行うこと、データに関連した評価の実施、測定動作を実施するために通信デバイス1100に結合されたセンサーとの相互作用、あるフォーマットから別のフォーマットへの情報の変換(たとえば、.wmvから.aviへなどの異なるプロトコル間)、などを含む。たとえば、情報を処理するように構成された論理1110に含まれるプロセッサは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明する機能を実施するように設計されたそれらの任意の組合せに対応することができる。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成としても実装され得る。情報を処理するように構成された論理1110はまた、実行されると、情報を処理するように構成された論理1110の関連ハードウェアがその処理機能を実施することを可能にするソフトウェアを含むことができる。しかしながら、情報を処理するように構成された論理1110は、ソフトウェアだけに対応するのではなく、情報を処理するように構成された論理1110は、その機能性を達成するためのハードウェアに少なくとも部分的に依拠する。
【００７５】
図11を参照すると、通信デバイス1100は、情報を記憶するように構成された論理1115をさらに含む。ある例では、情報を記憶するように構成された論理1115は、少なくとも非一時的メモリおよび関連ハードウェア(たとえば、メモリコントローラなど)を含み得る。たとえば、情報を記憶するように構成された論理1115に含まれる非一時的メモリは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体に対応することができる。情報を記憶するように構成された論理1115はまた、実行されると、情報を記憶するように構成された論理1115の関連ハードウェアがその記憶機能を実施することを可能にするソフトウェアを含むことができる。しかしながら、情報を記憶するように構成された論理1115は、ソフトウェアだけに対応するのではなく、情報を記憶するように構成された論理1115は、その機能性を遂行するためにハードウェアに少なくとも部分的に依拠する。
【００７６】
図11を参照すると、通信デバイス1100はさらに、情報を提示するように構成された論理1120を任意選択で含む。ある例では、情報を提示するように構成された論理1120は、少なくとも出力デバイスおよび関連ハードウェアを含むことができる。たとえば、出力デバイスは、ビデオ出力デバイス(たとえば、ディスプレイスクリーン、USB、HDMI(登録商標)のようなビデオ情報を搬送することができるポートなど)、オーディオ出力デバイス(たとえば、スピーカー、マイクロフォンジャック、USB、HDMI(登録商標)のようなオーディオ情報を搬送することができるポートなど)、振動デバイス、および/または、情報がそれによって出力のためにフォーマットされ得る、もしくは通信デバイス1100のユーザもしくはオペレータによって実際に出力され得る任意の他のデバイスを含むことができる。たとえば、通信デバイス1100が、図10に示すようにUE1000AまたはUE1000Bに相当する場合、情報を提示するように構成された論理1120は、UE1000Aのディスプレイ1010AまたはUE1000Bのタッチスクリーンディスプレイ1005Bを含み得る。さらなる例では、情報を提示するように構成された論理1120は、ローカルユーザをもたないネットワーク通信デバイス(たとえば、ネットワークスイッチまたはルータ、リモートサーバなど)などのいくつかの通信デバイスでは省かれ得る。情報を提示するように構成された論理1120はまた、実行されると、情報を提示するように構成された論理1120の関連ハードウェアがその提示機能を実施することを認めるソフトウェアを含むことができる。しかしながら、情報を提示するように構成された論理1120は、ソフトウェアだけに対応するのではなく、情報を提示するように構成された論理1120は、その機能性を達成するためにハードウェアに少なくとも部分的に依拠する。
【００７７】
図11を参照すると、通信デバイス1100はさらに、ローカルユーザ入力を受信するように構成された論理1125を任意選択で含む。ある例では、ローカルユーザ入力を受信するように構成された論理1125は、少なくともユーザ入力デバイスおよび関連ハードウェアを含み得る。たとえば、ユーザ入力デバイスは、ボタン、タッチスクリーンディスプレイ、キーボード、カメラ、オーディオ入力デバイス(たとえば、マイクロフォン、もしくはマイクロフォンジャックなど、オーディオ情報を搬送することができるポートなど)、および/またはそれによって通信デバイス1100のユーザもしくはオペレータから情報を受信することができる任意の他のデバイスを含むことができる。たとえば、通信デバイス1100が、図10に示すようにUE1000AまたはUE1000Bに相当する場合、ローカルユーザ入力を受信するように構成された論理1125は、キーパッド1020A、ボタン1015Aまたは1010B〜1025Bのうちのいずれか、タッチスクリーンディスプレイ1005Bなどを含み得る。さらなる例では、ローカルユーザ入力を受信するように構成された論理1125はローカルユーザをもたないネットワーク通信デバイス(たとえば、ネットワークスイッチまたはルータ、リモートサーバなど)など、いくつかの通信デバイスでは省かれ得る。また、ローカルユーザ入力を受信するように構成された論理1125は、実行されると、ローカルユーザ入力を受信するように構成された論理1125の関連ハードウェアがその入力受信機能を実施することを認めるソフトウェアを含むことができる。しかしながら、ローカルユーザ入力を受信するように構成された論理1125は、ソフトウェアだけに対応するのではなく、ローカルユーザ入力を受信するように構成された論理1125は、その機能性を達成するためにハードウェアに少なくとも部分的に依拠する。
【００７８】
図11を参照すると、1105〜1125の構成された論理は、図11では別個または相異なるブロックとして示されているが、それぞれの構成された論理がその機能性を実施するためのハードウェアおよび/またはソフトウェアは、部分的に重複し得ることが諒解されよう。たとえば、1105〜1125の構成された論理の機能性を容易にするのに使われるどのソフトウェアも、情報を記憶するように構成された論理1115に関連付けられた非一時的メモリに記憶することができ、そうすることによって、1105〜1125の構成された論理は各々、その機能性(すなわち、この場合、ソフトウェア実行)を、情報を記憶するように構成された論理1115によって記憶されたソフトウェアの動作に部分的に基づいて実施する。同様に、構成された論理のうちの1つに直接関連付けられたハードウェアは、時々、他の構成された論理によって借用または使用され得る。たとえば、情報を処理するように構成された論理1110のプロセッサは、情報を受信および/または送信するように構成された論理1105が、情報を処理するように構成された論理1110に関連付けられたハードウェア(すなわち、プロセッサ)の動作に部分的に基づいて、その機能性(すなわち、この場合はデータの送信)を実施するように、データを、情報を受信および/または送信するように構成された論理1105によって送信される前に、適切な形式にフォーマットすることができる。
【００７９】
概して、別段に明示的に記載されていない限り、本開示全体にわたって使用される「ように構成された論理」という句は、ハードウェアによって少なくとも部分的に実装される実施形態を引き合いに出すものとし、ハードウェアから独立したソフトウェアだけの実装形態に位置づけるものではない。様々なブロックにおける構成された論理または「ように構成された論理」は、特定の論理ゲートまたは論理要素に限定されるのではなく、概して、本明細書に記載した機能性を、(ハードウェアまたはハードウェアとソフトウェアの組合せのいずれかを介して)実施するための能力を指すことが諒解されよう。したがって、様々なブロックに示す構成された論理または「ように構成された論理」は、「論理」という言葉を共有するにもかかわらず、必ずしも論理ゲートまたは論理要素として実装されるわけではない。様々なブロックの論理間の他の対話または協働が、上記でより詳細に説明した実施形態の検討から、当業者には明らかになるであろう。
【００８０】
本明細書で開示する様々な実施形態は、図12に示すサーバ1200など、様々な市販のサーバデバイスのいずれかにおいて実装され得る。ある例では、サーバ1200は、上述のアプリケーションサーバの1つの例示的な構成に対応し得る。図12において、サーバ1200は、揮発性メモリ1202と、ディスクドライブ1203のような大容量の不揮発性メモリとに結合された、プロセッサ1201を含む。サーバ1200はまた、プロセッサ1201に結合された、フロッピーディスクドライブ、コンパクトディスク(CD)またはDVDディスクドライブ1206を含んでよい。サーバ1200はまた、他のブロードキャストシステムコンピュータおよびサーバに、またはインターネットに結合されたローカルエリアネットワークなどのネットワーク1207とのデータ接続を確立するための、プロセッサ1201に結合されたネットワークアクセスポート1204を含んでもよい。図11の文脈において、図12のサーバ1200は、通信デバイス1100の1つの例示的な実装形態を示すが、情報を送信および/または受信するように構成された論理1105は、ネットワーク1207と通信するためにサーバ1200によって使用されるネットワークアクセスポイント1204に相当し得、情報を処理するように構成された論理1110は、プロセッサ1201に相当し得、情報を記憶するように構成された論理1115は、揮発性メモリ1202、ディスク(disk)ドライブ1203、および/またはディスク(disc)ドライブ1206のうちの任意の組合せに相当し得ることが諒解されよう。情報を提示するように構成された任意選択の論理1120およびローカルユーザ入力を受信するように構成された任意選択の論理1125は、図12には明示的に示されず、その中に含まれる場合もあれば、含まれない場合もある。したがって、図12は、図11に関して上記で説明した通信デバイス1100が、図10に示すUE1000Aおよび1000BなどのUE実装形態に加えて、サーバとして実装され得ることを実証するのを助ける。
【００８１】
様々な異なる技術および技法のいずれかを使用して、情報および信号を表すことができることを当業者は諒解されよう。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【００８２】
さらに、本明細書で開示された態様に関連して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能性に関して説明した。そのような機能性をハードウェアとして実装するか、ソフトウェアとして実装するかは、特定の適用例および全体的なシステムに課される設計制約に依存する。当業者は、説明した機能性を特定のアプリケーションごとに様々な方法で実装し得るが、そのような実装決定は本開示の範囲から逸脱するものと解釈されるべきではない。
【００８３】
本明細書で開示される態様に関して説明される様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または、本明細書で説明される機能を実施するように設計されたそれらの任意の組合せによって、実装または実施され得る。汎用プロセッサはマイクロプロセッサであり得るが、代替では、プロセッサは任意の従来のプロセッサ、コントローラ、マイクロコントローラ、またはステートマシンであり得る。また、プロセッサは、コンピューティングデバイスの組合せ(たとえば、DSPとマイクロプロセッサの組合せ、複数のマイクロプロセッサ、DSPコアと連携した1つまたは複数のマイクロプロセッサ、または任意の他のそのような構成)として実装することもできる。
【００８４】
本明細書で開示する態様に関して説明した方法、シーケンス、および/またはアルゴリズムは、ハードウェア内で直接、プロセッサにより実行されるソフトウェアモジュール中で、または2つの組合せで具現化することができる。ソフトウェアモジュールは、RAM、フラッシュメモリ、ROM、EPROM、EEPROM、レジスタ、ハードディスク、リムーバブルディスク、CD-ROM、または当技術分野において知られている任意の他の形の記憶媒体内に存在し得る。例示的な記憶媒体は、プロセッサが記憶媒体から情報を読み取り、記憶媒体に情報を書き込むことができるようにプロセッサに結合される。代替として、記憶媒体は、プロセッサに一体化され得る。プロセッサおよび記憶媒体は、ASIC内に存在し得る。ASICはIoTデバイス内に存在し得る。代替形態では、プロセッサおよび記憶媒体は、ユーザ端末内に個別構成要素として存在し得る。
【００８５】
1つまたは複数の例示的な態様では、説明した機能は、ハードウェア、ソフトウェア、ファームウェア、またはそれらの任意の組合せの中に実装され得る。ソフトウェアにおいて実現される場合、それらの機能は、1つまたは複数の命令またはコードとして、コンピュータ可読媒体上に記憶されるか、またはコンピュータ可読媒体を介して送信される場合がある。コンピュータ可読媒体は、コンピュータ記憶媒体と、コンピュータプログラムのある場所から別の場所への転送を容易にする任意の媒体を含む通信媒体の両方を含む。記憶媒体は、コンピュータによってアクセスすることができる任意の利用可能な媒体であってもよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形式の所望のプログラムコードを搬送もしくは記憶するために使用可能であり、コンピュータによってアクセス可能な任意の他の媒体を備えてもよい。また、任意の接続をコンピュータ可読媒体と呼ぶことも妥当である。たとえば、ソフトウェアが、同軸ケーブル、光ファイバケーブル、ツイストペア、DSL、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は媒体の定義に含まれる。本明細書で使用する場合、ディスク(disk)およびディスク(disc)は、CD、レーザディスク(disc)、光ディスク(disc)、DVD、フロッピー(登録商標)ディスク(disk)およびブルーレイディスク(disc)を含み、ディスク(disk)は、通常、データを磁気的に再生するおよび/またはデータをレーザで光学的に再生する。上記の組合せも、コンピュータ可読媒体の範囲の中に含まれるべきである。
【００８６】
上記開示は、本開示の例示的な態様を示したものであるが、添付の特許請求の範囲で定義されている本開示の範囲を逸脱することなく、本明細書において様々な変更および修正を加えることができることに留意されたい。本明細書において説明されている本開示の態様による方法請求項の機能、ステップ、および/またはアクションは、任意の特定の順序で実施される必要はない。さらに、本開示の要素は、単数形において記載または特許請求されている場合があるが、単数形に限定することが明示的に述べられていない限り、複数形も考えられる。
【符号の説明】
【００８７】
100  ワイヤレス通信システム
104  エアインターフェース
106  エアインターフェース
108  エアインターフェース
120  RAN
125  アクセスポイント
140  コアネットワーク
140A  EPSまたはLTEネットワーク、コアネットワーク
140B  HRPDコアネットワーク
170  アプリケーションサーバ
175  インターネット
200A  基地局(BS)
200B  ノードB
200D  発展型ノードB、EノードB、eNB
200E  基地トランシーバ局(BTS)
205A  基地局(BS)
205B  ノードB
205D  発展型ノードB、EノードB、eNB
205E  基地トランシーバ局(BTS)
210A  基地局(BS)
210B  ノードB
210D  発展型ノードB、EノードB、eNB
210E  基地トランシーバ局(BTS)
215A  基地局コントローラ(BSC)
215B  無線ネットワークコントローラ(RNC)
215D  モビリティ管理エンティティ(MME)
215E  拡張BSC(eBSC)および拡張PCF(ePCF)
220A  パケット制御機能(PCF)
220B  サービングGRPSサポートノード(SGSN)
220D  モビリティ管理エンティティ(MME)
220E  HRPDサービングゲートウェイ(HSGW)
225A  パケットデータサービングノード(PDSN)
225B  GGSN
225D  ホーム加入者サーバ(HSS)
225E  認証、認可およびアカウンティング(AAA)サーバ
230D  サービングゲートウェイ(S-GW)
230E  PDSN/FA
235D  パケットデータネットワークゲートウェイ(P-GW)
235E  HA
240D  ポリシーおよび課金規則機能(PCRF)
300  ワイヤレス通信システム
320  ネットワークリンク
322  リンク
324  リンク
330  第1のセル、セル
332  第1の基地局、基地局
334  UE
336  UE
338  UE
340  第2のセル、セル
342  第2の基地局、基地局、仲介基地局
344  UE
346  UE
348  UE
354  リンク
356  P2Pリンク
370  アプリケーションサーバ
510  第1のカバレージエリア(発見領域)、カバレージエリア
520  第2のカバレージエリア、カバレージエリア
530  カバレージエリア
1000A  UE
1000B  UE
1002  プラットフォーム
1005A  アンテナ
1005B  タッチスクリーンディスプレイ
1006  トランシーバ
1008  特定用途向け集積回路(ASIC)
1010  アプリケーションプログラミングインターフェース(API)
1010A  ディスプレイ
1010B  周辺ボタン、ボタン
1012  メモリ
1014  ローカルデータベース
1015A  ボタン
1015B  周辺ボタン、ボタン
1020A  キーパッド
1020B  周辺ボタン、ボタン
1025B  周辺ボタン、ボタン
1030B  フロントパネルボタン
1100  通信デバイス
1105  情報を受信および/または送信するように構成された論理、構成された論理
1110  情報を処理するように構成された論理、構成された論理
1115  情報を記憶するように構成された論理、構成された論理
1120  情報を提示するように構成された論理、構成された論理
1125  ローカルユーザ入力を受信するように構成された論理、構成された論理
1200  サーバ
1201  プロセッサ
1202  揮発性メモリ
1203  ディスク(disk)ドライブ
1204  ネットワークアクセスポート
1206  コンパクトディスク(CD)またはDVDディスクドライブ、ディスク(disc)ドライブ
1207  ネットワーク
【図１】
0006727207.tif 000003
【図２Ａ】
0006727207.tif 000004
【図２Ｂ】
0006727207.tif 000005
【図２Ｃ】
0006727207.tif 000006
【図２Ｄ】
0006727207.tif 000007
【図２Ｅ】
0006727207.tif 000008
【図３】
0006727207.tif 000009
【図４】
0006727207.tif 000010
【図５Ａ】
0006727207.tif 000011
【図５Ｂ】
0006727207.tif 000012
【図５Ｃ】
0006727207.tif 000013
【図６】
0006727207.tif 000014
【図７】
0006727207.tif 000015
【図８】
0006727207.tif 000016
【図９】
0006727207.tif 000017
【図１０】
0006727207.tif 000018
【図１１】
0006727207.tif 000019
【図１２】
0006727207.tif 000020